(57)【要約】【課題】気付き難い接近中の移動体の存在を、簡易かつ安価な構成で、しかも運転者に感覚的に判り易く報知し得る移動体接近報知装置を提供する。【解決手段】移動体接近報知装置は、ルームランプ１１、読書ランプ１２、フロントドアカーテシランプ１３、フロント足元ランプ１４などの室内ランプ、ランプＥＣＵ２５（点滅制御手段）、ターンシグナルスイッチ２６（進路変更推定手段）、およびレーザレーダセンサ２７（移動体検出手段）を備える。ランプＥＣＵ２５は、レーザレーダセンサ２７により後続車両（移動体）が検出されたとき、駆動回路２１〜２４を介して全ランプ１１〜１４を点滅させる。また、ランプＥＣＵ２５は、ターンシグナルスイッチ２６によりオン信号が検出され、かつレーザレーダセンサ２７によりバイク、自転車、歩行者（移動体）などが検出されたとき、駆動回路２１〜２４を介して全ランプ１１〜１４を点滅させる。【選択図】図１
2008299779.tif 000002
【特許請求の範囲】
【請求項１】
自車両への移動体の接近を検出する移動体検出手段と、
前記移動体検出手段により自車両に接近する移動体が検出されたとき、室内照明灯を点滅させる点滅制御手段とを備えたことを特徴とする移動体接近報知装置。
【請求項２】
前記移動体検出手段は、走行中の自車両に接近する後続車両を検出するものである請求項１に記載の移動体接近報知装置。
【請求項３】
前記移動体接近報知装置は、さらに自車両の進路変更を推定する進路変更推定手段を備え、前記点滅制御手段は、前記移動体検出手段により自車両に接近する移動体が検出され、かつ前記進路変更推定手段により自車両の進路変更が推定されたとき、前記室内照明灯を点滅させるように設定されている請求項１に記載の移動体接近報知装置。
【請求項４】
前記進路変更推定手段は、ターンシグナルスイッチのオン信号に基づいて自車両の進路変更を推定するものであり、前記移動体検出手段は、自車両の車線変更または右左折に際して自車両に接近する移動体を検出するものである請求項３に記載の移動体接近報知装置。
【請求項５】
前記室内照明灯は、既存の室内ランプである請求項１〜４のいずれか１項に記載の移動体接近報知装置。
【発明の詳細な説明】
【技術分野】
【０００１】
本発明は、移動体接近報知装置に関し、特に車室内の照明装置を利用して移動体の接近を運転者に報知可能な移動体接近報知装置に関する。
【背景技術】
【０００２】
この種の移動体接近報知装置として、例えば下記特許文献１に記載されているように、移動体に送信機、車両に受信機を設け、送信機から送信された移動体情報が受信機により受信されたとき、文字および音声を発する警告器を通じて運転者に警告を行うようにしたものが知られている。
【特許文献１】特開２０００−６７３９２号公報
【発明の開示】
【発明が解決しようとする課題】
【０００３】
上記特許文献１に記載された移動体接近報知装置は、気付き難い接近中の移動体の存在を運転者に知らしめる点で有効である。しかしながら、上記特許文献１に記載された移動体接近報知装置では、移動体に送信機、自車両に受信機を設ける必要があり、システムが複雑となって、コストが高価になるという問題がある。また、文字および音声による警告は、運転者に唐突な印象を与え易く、運転者にとって感覚的に判り難い。
【０００４】
本発明の課題は、気付き難い接近中の移動体の存在を、簡易かつ安価な構成で、しかも運転者に感覚的に判り易く報知し得る移動体接近報知装置を提供することにある。
【課題を解決するための手段及び発明の効果】
【０００５】
上記した課題を解決するため、本発明の移動体接近報知装置は、自車両への移動体の接近を検出する移動体検出手段と、前記移動体検出手段により自車両に接近する移動体が検出されたとき、室内照明灯を点滅させる点滅制御手段とを備えたことを特徴とする。この場合、前記室内照明灯は、例えば、既存の室内ランプであるとよい。
【０００６】
この移動体接近報知装置では、移動体検出手段により自車両に接近する移動体が検出されたとき、点滅制御手段により室内照明灯が点滅される。このため、移動体に送信機、自車両に受信機を別途設けなくても、室内照明灯を有効活用することで、簡易かつ安価な構成で気付き難い接近中の移動体の存在を運転者に報知することが可能である。また、自車両の運転者は、例えば移動体としての他車両による室外ランプのパッシングにより注意を喚起されるのが一般的である。したがって、室内照明灯を点滅させることで、他車両からあたかもパッシングを受けたのと同様の効果を得ることが期待でき、自車両の運転者に移動体の存在を感覚的に判り易く知らしめることも可能である。
【０００７】
本発明の実施に際して、前記移動体検出手段は、走行中の自車両に接近する後続車両を検出するものであるとよい。
【０００８】
これによれば、自車両の運転者は、点滅制御手段による室内照明灯の点滅により、後続車両に注意を向けるようになり、後続車両に追突されるおそれがある場合に、その追突を未然に回避する方策を講じることが可能である。
【０００９】
また、本発明の実施に際して、前記移動体接近報知装置は、さらに自車両の進路変更を推定する進路変更推定手段を備え、前記点滅制御手段は、前記移動体検出手段により自車両に接近する移動体が検出され、かつ前記進路変更推定手段により自車両の進路変更が推定されたとき、前記室内照明灯を点滅させるように設定されているとよい。この場合、前記進路変更推定手段は、例えば、ターンシグナルスイッチのオン信号に基づいて自車両の進路変更を推定するものであり、前記移動体検出手段は、自車両の車線変更または右左折に際して自車両に接近する移動体を検出するものであるとよい。
【００１０】
これによれば、自車両の進路変更時において、自車両に接近する移動体に注意を向けるようになり、移動体と衝突するおそれがある場合に、自車両の車線変更を止め、または自車両を停止させることができ、移動体との衝突を未然に回避することが可能である。
【発明を実施するための最良の形態】
【００１１】
以下、本発明の実施形態について図面を用いて説明する。図１は本発明による移動体接近報知装置の一実施形態のブロック図を示していて、この移動体接近報知装置は、図１および図２に示すように、ルームランプ１１、読書ランプ１２、フロントドアカーテシランプ１３およびフロント足元ランプ１４を備えている。
【００１２】
各ランプ１１〜１４は、既存の室内ランプである。ルームランプ１１（マップランプ）は、フロント席から斜め前方の天井部の中央位置に設けられ、通常はフロントドアの開状態、またはランプ１１の近傍に設置された操作スイッチのオン操作により点灯する。読書ランプ１２は、リヤ席上方の天井部の中央位置に設けられ、通常はランプ１２の近傍に設置された操作スイッチのオン操作により点灯する。フロントドアカーテシランプ１３は、左右フロントドアの内側下部にそれぞれ設けられ、通常は左右フロントドアの開状態でそれぞれ点灯する。フロント足元ランプ１４は、左右フロント席前方のインストルメントパネルロワー部にそれぞれ設けられ、通常は左右フロントドアの開状態でそれぞれ点灯する。各ランプ１１〜１４は、駆動回路２１〜２４を介してランプＥＣＵ２５に接続されている。
【００１３】
ランプＥＣＵ２５（点滅制御手段）は、ＣＰＵ，ＲＯＭ，ＲＡＭ，インタフェース部などからなるマイクロコンピュータを主要構成部品としており、イグニッションスイッチのオン後の所定時間ごとに図３の点滅制御プログラムを繰り返し実行し、その実行に応じた制御信号を駆動回路２１〜２４に出力する。駆動回路２１〜２４は、ランプＥＣＵ２５の制御信号に応じて各ランプ１１〜１４に駆動電流を流す。ランプＥＣＵ２５には、ターンシグナルスイッチ２６およびレーザレーダセンサ２７が接続されている。
【００１４】
ターンシグナルスイッチ２６（進路変更推定手段）は、ステアリングコラムカバー内に設けられ、通常はレバー状のライトコントローススイッチの上下方向への変位に応じてオンとなり、室外に設けられたフロントおよびリヤターンシグナルランプのレフト側ランプまたはライト側ランプを点滅させる。レーザレーダセンサ２７（移動体検出手段）は、車両の後側側方および後方に設けられ、自車両に接近する他車両、バイク、自転車、歩行者等との距離を検出してランプＥＣＵ２５に出力する。
【００１５】
次に、上記のように構成した本実施形態の作動について説明する。運転者がイグニッションキーを操作してイグニッションスイッチがオンすると、ランプＥＣＵ２５は、図３の点滅制御プログラムを所定の短時間ごとに繰り返し実行する。
【００１６】
この点滅制御プログラムは、ステップＳ１０にて実行が開始され、ステップＳ１１にて、ターンシグナルスイッチ２６がオンであるか否かを判定する。最初に、自車両が直進走行状態にあり、ターンシグナルスイッチ２６がオフである場合について説明する。この場合には、ステップＳ１１にて「Ｎｏ」と判定し、ステップＳ１２にて、後続車両が接近中であるか否かを判定する。
【００１７】
具体的には、例えば図４（ａ）に示すように、走行車線を直進走行中の自車両Ａに対して、後続車両Ｂが接近し、レーザレーダセンサ２７により検出された自車両Ａと後続車両Ｂ間の車間距離が所定の距離未満となった場合に、ステップＳ１２にて「Ｙｅｓ」と判定されるようになっている。ここで、後続車両がない場合や、自車両Ａと後続車両Ｂ間の車間距離が所定の距離以上である場合には、ステップＳ１２にて「Ｎｏ」と判定し、ステップＳ１６にてこの点滅制御プログラムの実行を終了する。
【００１８】
自車両Ａと後続車両Ｂ間の車間距離が所定の距離未満となって、ステップＳ１２にて「Ｙｅｓ」と判定した場合は、ステップＳ１５の処理を実行する。ステップＳ１５では、後続車両Ｂが自車両Ａに対して車両Ｂの室外ランプをあたかもパッシングするかのように、ランプＥＣＵ２５が駆動回路２１〜２４を介して全ランプ１１〜１４を点滅させる。これにより、運転者は後続車両Ｂに注意を向けるようになり、後続車両Ｂに追突されるおそれがある場合は、その追突を未然に回避する方策を講じることが可能である。
【００１９】
次に、自車両Ａが車線変更するためにターンシグナルスイッチ２６をオン操作した場合について説明する。この場合には、ステップＳ１１にて「Ｙｅｓ」と判定し、ステップＳ１３にて、隣接レーン（追越車線）の後方に車両があるか否かを判定する。
【００２０】
具体的には、例えば図４（ｂ）に示すように、自車両Ａが先行車両Ｃを追い抜くために、ターンシグナルスイッチ２６をライト側にオン操作したとき、レーザレーダセンサ２７により検出された自車両Ａと車両Ｂ間の車間距離が所定の距離未満である場合は、ステップＳ１３にて「Ｙｅｓ」と判定し、上記と同様、ステップＳ１５にて車両Ｂが自車両Ａに対して車両Ｂの室外ランプをあたかもパッシングするかのように、ランプＥＣＵ２５が駆動回路２１〜２４を介して全ランプ１１〜１４を点滅させる。これにより、自車両Ａの運転者は、車線変更を止めることができ、車両Ｂとの衝突を未然に回避することが可能である。
【００２１】
次に、自車両Ａが左折するためにターンシグナルスイッチ２６をオン操作した場合について説明する。この場合には、ステップＳ１１にて「Ｙｅｓ」、ステップＳ１３にて「Ｎｏ」と判定し、ステップＳ１４に進む。ステップＳ１４では、自車両Ａにバイク、自転車などの移動体が接近中であるか否かを判定する。
【００２２】
具体的には、例えば図５（ａ）に示すように、自車両Ａが交差点を左折するためにターンシグナルスイッチ２６をレフト側にオン操作したとき、レーザレーダセンサ２７により検出された自車両Ａと、その左後方を走行中のバイクＤ間の車間距離が所定の距離未満である場合は、ステップＳ１４にて「Ｙｅｓ」と判定し、上記と同様、ステップＳ１５にてランプＥＣＵ２５が駆動回路２１〜２４を介して全ランプ１１〜１４を点滅させる。これにより、自車両Ａの運転者は、自車両Ａを直ちに停止させることができ、バイクＤとの衝突を未然に回避することが可能である。
【００２３】
一方、自車両Ａが右折するためにターンシグナルスイッチ２６をオン操作した場合について説明する。この場合にも、ステップＳ１１にて「Ｙｅｓ」、ステップＳ１３にて「Ｎｏ」と判定し、ステップＳ１４の処理を実行する。ステップＳ１４では、自車両Ａに自転車、歩行者などの移動体が接近中であるか否かを判定する。
【００２４】
具体的には、例えば図５（ｂ）に示すように、自車両Ａが交差点を右折するためにターンシグナルスイッチ２６をライト側にオン操作したとき、レーザレーダセンサ２７により検出された自車両Ａと、横断歩道を歩行中の歩行者Ｅ間の距離が所定の距離未満である場合は、ステップＳ１４にて「Ｙｅｓ」と判定し、上記と同様、ステップＳ１５にてランプＥＣＵ２５が駆動回路２１〜２４を介して全ランプ１１〜１４を点滅させる。これにより、自車両Ａの運転者は、自車両Ａを直ちに停止させることができ、歩行者Ｅとの衝突を未然に回避することが可能である。
【００２５】
なお、ターンシグナルスイッチ２６がオン操作された場合であって、隣接レーンの後方に車両がなく、自車両Ａにバイク、自転車、歩行者などが接近していなければ、ステップＳ１３，Ｓ１４にて何れも「Ｎｏ」と判定し、ステップＳ１６にてこの点滅制御プログラムの実行を終了する。
【００２６】
以上の説明からも明らかなように、上記実施形態においては、ステップＳ１１，Ｓ１２の処理により自車両に接近する後続車両が検出されたとき、またはステップＳ１１の処理によりターンシグナルスイッチ２６のオン信号が検出され、かつステップＳ１３，Ｓ１４の処理により自車両の車線変更または右左折に際して自車両に接近するバイク、自転車、歩行者などが検出されたとき、ステップＳ１５の処理により全ランプ１１〜１４が点滅される。
【００２７】
これにより、既存の全ランプ１１〜１４を有効活用することで、簡易かつ安価な構成で気付き難い接近中の後続車両、バイク、自転車、歩行者などの存在を運転者に感覚的に判り易く報知することが可能である。
【００２８】
なお、上記実施形態では、ステップＳ１１にて「Ｎｏ」、すなわちターンシグナルスイッチ２６がオフであるとき、ステップＳ１２にて後続車両が自車両に接近中であるか否かを判定するようにした。しかし、後続車両が自車両に接近中であるとき全ランプ１１〜１４を点滅制御するためのプログラムを別に設けるようにしてもよい（ステップＳ１２，Ｓ１５，Ｓ１６で構成）。この場合には、図３の点滅制御プログラムからステップＳ１２の処理を省略することができる。
【００２９】
また、上記実施形態では、自車両の車線変更または右左折に際して自車両に接近するバイク、自転車、歩行者などが検出されたとき、全ランプ１１〜１４を点滅させるように構成したが、これに代えて、例えば自車両の進路変更側に位置する室内ランプのみを点滅させてもよい。
【００３０】
また、上記実施形態では、室内ランプとして、ルームランプ１１、読書ランプ１２、フロントドアカーテシランプ１３およびフロント足元ランプ１４を用いたが、これらのランプ１１〜１４に加えて、例えばグラブボックスや灰皿照明用のランプなどを利用してもよい。
【００３１】
また、上記実施形態では、既存の室内ランプを利用するようにしたが、これに加えてまたは代えて、例えば、図１にて破線で示すように、運転者が点滅態様を認識可能な光を発する光源１５（例えばパッシング演出専用ライト）を設けるようにしてもよい。
【００３２】
また、上記実施形態では、移動体検出手段としてレーザレーダセンサ２７を用いたが、これに加えてまたは代えて、例えば、超音波ソナーを用いてもよく、またＣＣＤカメラを用いてもよい。超音波ソナーを用いる場合には、音波が後続車に反射して戻ってくるまでの時間に基づいて後続車およびその接近を検出することとなる。また、ＣＣＤカメラを用いる場合には、ＣＣＤカメラによる後続車の画像データに基づいて後続車との車間距離を計算することとなる。
【図面の簡単な説明】
【００３３】
【図１】本発明による移動体接近報知装置の一実施形態を示すブロック図。
【図２】図１の室内ランプの外観図。
【図３】図１のランプＥＣＵにより実行される点滅制御プログラムを示すフローチャート。
【図４】（ａ）は後続車両が自車両に接近する状況を模式的に示す説明図。（ｂ）は自車両が車線変更を行う状況を模式的に示す説明図。
【図５】（ａ）は自車両が交差点で左折する状況を模式的に示す説明図。（ｂ）は自車両が交差点で右折する状況を模式的に示す説明図。
【符号の説明】
【００３４】
１１  ルームランプ（室内ランプ）
１２  読書ランプ（室内ランプ）
１３  フロントドアカーテシランプ（室内ランプ）
１４  フロント足元ランプ（室内ランプ）
１５  光源（室内ランプ）
２１〜２４  駆動回路
２５  ランプＥＣＵ（点滅制御手段）
２６  ターンシグナルスイッチ（進路変更推定手段）
２７  レーザレーダセンサ（移動体検出手段）
【図１】
2008299779.tif 000003
【図２】
2008299779.tif 000004
【図３】
2008299779.tif 000005
【図４】
2008299779.tif 000006
【図５】
2008299779.tif 000007